(57)【要約】【課題】通信方式の異なる交換機と遠隔加入者収容装置との間で通信方式を変換して、交換機からの試験指示に基づき、遠隔加入者収容装置に収容された加入者線の試験を可能にする。【解決手段】遠隔加入者試験通信変換装置７０は、交換機４０Ｂ、加入者６０、及び遠隔加入者収容装置５０Ａを備えたＩＳＤＮにおける加入者試験システムにおいて、交換機４０Ｂと遠隔加入者収容装置５０Ａとの間のハイウェイ４５に接続されている。交換機４０Ｂにてハイウェイ４５の任意のタイムスロットに試験指示ＴＤ１が挿入され、遠隔加入者試験通信変換装置７０にてハイウェイ４５から試験指示ＴＤ１を抽出し、この装置７０内の通信方式変換部７０Ｃにて通信方式Ｂから通信方式Ａに変換して試験指示ＴＤ２を出力する。その試験指示ＴＤ２を、再びハイウェイ４５の特定タイムスロットに挿入し、遠隔加入者収容装置５０Ａに送信することにより、加入者線５５の試験が可能となる。【選択図】図１
2006270724.tif 000002
【特許請求の範囲】
【請求項１】
異なる通信プロトコルの第１及び第２の通信媒体の内の第１の通信媒体を有し、前記第１の通信媒体から多重伝送用のハイウェイへ試験指示情報を出力する交換機と、
加入者線に接続された網終端装置、及び前記網終端装置に接続された端末装置を有する加入者と、
前記ハイウェイを介して前記交換機に接続されると共に、前記加入者線を介して前記網終端装置に接続され、前記ハイウェイから送られてくる前記試験指示情報を受信する前記第２の通信媒体と、前記第２の通信媒体で受信した前記試験指示情報に基づき、前記加入者線に対する試験信号の劣化度を試験する加入者試験器と、を有する遠隔加入者収容装置と、
を備えた加入者試験システムにおいて、
前記交換機と前記遠隔加入者収容装置との間の前記ハイウェイに接続され、
前記交換機と前記遠隔加入者収容装置とを接続する前記ハイウェイ間に設けられた複数の通信プロトコルの第３の通信媒体と、
前記交換機から前記ハイウェイを介して送られて来た前記試験指示情報を引き込み、前記複数の通信プロトコルから通信が確立した１つの通信プロトコルを自動選択する選択手段と、
前記複数の第３の通信媒体の送信部から前記ハイウェイを介して前記遠隔加入者収容装置内の前記第２の通信媒体へ各々前記試験指示情報を送出し、正常応答した前記第３の試験媒体で自立動作を開始する自立動作開始手段と、
を有することを特徴とする遠隔加入者試験通信変換装置。
【請求項２】
請求項１記載の加入者試験システムにおいて、
前記交換機と前記遠隔加入者収容装置との間の前記ハイウェイに接続され、
前記遠隔加入者収容装置を収容する第１のハイウェイインタフェース部と、
前記交換機に接続される第２のハイウェイインタフェース部と、
前記第１のハイウェイインタフェース部と前記第２のハイウェイインタフェース部との間に接続され、前記第２のハイウェインタフェース部の全てのタイムスロットをドロップし、複数の通信プロトコルをそれぞれ制御する複数の素子の各々にマルチ入力して、前記複数の通信プロトコルから通信が確立した１つの通信プロトコルを選択する選択手段と、
前記複数の通信プロトコルの第３の通信媒体における送信部から前記ハイウェイを介して前記遠隔加入者収容装置内の前記第２の通信媒体へ各々前記試験指示情報を送出し、正常応答した前記第３の試験媒体で自立動作を開始する自立動作開始手段と、
を有することを特徴とする遠隔加入者試験通信変換装置。
【請求項３】
請求項１記載の加入者試験システムにおいて、
前記交換機と前記遠隔加入者収容装置との間の前記ハイウェイに接続され、
前記遠隔加入者収容装置を収容する第１のハイウェイインタフェース部と、
前記交換機に接続され、全てのタイムスロットをドロップする第２のハイウェイインタフェース部と、
前記第２のハイウェイインタフェース部でドロップされた前記全てのタイムスロットを、複数の通信プロトコルをそれぞれ制御する複数の素子の各々にマルチ入力して、前記複数の通信プロトコルから通信が確立した１つの通信プロトコルを選択する選択手段と、
前記複数の通信プロトコルの第３の通信媒体における送信部から前記ハイウェイを介して前記遠隔加入者収容装置内の前記第２の通信媒体へ各々前記試験指示情報を送出し、正常応答した前記第３の試験媒体で自立動作を開始する自立動作開始手段と、
を有することを特徴とする遠隔加入者試験通信変換装置。
【請求項４】
請求項１記載の加入者試験システムにおいて、
前記交換機と前記遠隔加入者収容装置との間の前記ハイウェイに接続され、
前記交換機と前記遠隔加入者収容装置とを接続する前記ハイウェイ間に設けられた複数の通信プロトコルの第３の通信媒体と、
前記交換機から前記ハイウェイを介して送られて来た前記試験指示情報を引き込み、前記複数の通信プロトコルから通信が確立した１つの通信プロトコルを自動選択する選択手段と、
前記複数の第３の通信媒体の送信部から、セレクタにて切り替えて前記ハイウェイを介して前記遠隔加入者収容装置内の前記第２の通信媒体へ各々前記試験指示情報を送出し、正常応答した前記第３の試験媒体で自立動作を開始する自立動作開始手段と、
を有することを特徴とする遠隔加入者試験通信変換装置。
【発明の詳細な説明】
【技術分野】
【０００１】
本発明は、ＩＳＤＮ（Integrated Services Digital Network、総合サービスディジタル網）等を利用し、加入者線の試験を行う加入者試験器を有する遠隔加入者収容装置に対して、交換機から加入者線の試験を指示する加入者試験システム中に設けられ、通信方式の異なる交換機と遠隔加入者収容装置との間の通信制御を可能にする遠隔加入者試験通信変換装置に関するものである。
【背景技術】
【０００２】
従来、ＩＳＤＮを利用し、遠隔加入者収容装置に対して交換機から加入者線の試験を指示する加入者試験システムに関する技術として、例えば、次のような文献等に記載されるものがあった。
【０００３】
【特許文献１】特開平５−１２２３４７号公報（図１）
【０００４】
図４（１）、（２）は、特許文献１等に記載された従来のＩＳＤＮにおける加入者試験システムを示す概略の構成図であり、同図（１）は特定の通信方式（例えば、Ａ）に固定された加入者試験システムを示す図、及び同図（２）は通信方式Ａとは異なる他の通信方式（例えば、Ｂ）に固定された加入者試験システムを示す図である。
【０００５】
図４（１）に示す通信方式Ａの加入者試験システムは、通信方式Ａの交換機１０Ａと、通信方式Ａの遠隔加入者収容装置２０Ａと、加入者３０とを備えている。交換機１０Ａと遠隔加入者収容装置２０Ａとは、多重伝送用のハイウェイ１５により相互に接続され、更に、遠隔加入者収容装置２０Ａと加入者３０とが、加入者線２５により相互に接続されている。
【０００６】
交換機１０Ａ内には、主信号ＭＳ、制御信号ＣＳ、及び試験指示情報（以下単に「試験指示」という。）ＴＤ等を送受信するための通信方式Ａの通信媒体１１Ａ等が設けられている。遠隔加入者収容装置２０Ａ内には、通信方式Ａの加入者回路２１Ａ、及び加入者線２５の試験を行う加入者試験器２２Ａ等が設けられている。加入者試験器２２Ａは、通信方式Ａの通信媒体２２Ａ１等を有している。加入者３０内には、網終端装置３１、及びこれに接続された端末装置３２等が設けられている。
【０００７】
通信方式Ａは、加入者３０の交換機１０Ａの試験器種別データにより指定され、遠隔加入者収容装置２０Ａに搭載されている加入者試験器２２Ａと、交換機１０Ａとの間の接続にて、その通信方式Ａが固定になっている。
【０００８】
図４（２）に示す通信方式Ｂの加入者試験システムは、図４（１）の加入者試験システムとほぼ同様に、通信方式Ｂの交換機１０Ｂと、通信方式Ｂの遠隔加入者収容装置２０Ｂと、加入者３０とを備え、その交換機１０Ｂと遠隔加入者収容装置２０Ｂとがハイウェイ１５により相互に接続され、更に、その遠隔加入者収容装置２０Ｂと加入者３０とが加入者線２５により相互に接続されている。交換機１０Ｂ内には、通信方式Ｂの通信媒体１１Ｂ等が設けられている。更に、遠隔加入者収容装置２０Ａ内には、通信方式Ｂの加入者回路２１Ｂ、及び通信方式Ｂの通信媒体２２Ｂ１等を有する加入者試験器２２Ｂが設けられている。
【０００９】
通信方式Ｂは、加入者３０の交換機１０Ｂの試験器種別データにより指定され、遠隔加入者収容装置２０Ｂに搭載されている加入者試験器２２Ｂと、交換機１０Ｂとの間の接続にて、その通信方式Ｂが固定になっている。
【００１０】
例えば、図４（１）の加入者試験システムでは、次のような動作が行われる。
加入者３０と図示しない他の加入者との間で主信号ＭＳの通信を行う場合には、交換機１０Ａ及び遠隔加入者収容装置２０Ａを介して、主信号ＭＳ及び制御信号ＣＳが送受信され、主信号ＭＳの通信が行われる。
【００１１】
交換機１０Ａからの試験指示ＴＤに基づいて加入者線２５の試験を行う場合には、通信方式Ａの通信媒体１１Ａから試験指示ＴＤが出力され、この試験指示ＴＤが主信号ＭＳ及び制御信号ＣＳと共に、ハイウェイ１５を介して遠隔加入者収容装置２０Ａへ送信される。遠隔加入者収容装置２０Ａでは、送られてきた主信号ＭＳ、制御信号ＣＳ及び試験指示ＴＤを受信し、この中の試験指示ＴＤを、通信方式Ａの通信媒体２２Ａ１にてドロップし（引き込み）、加入者試験器２２Ａに与える。すると、加入者試験器２２Ａから試験信号が出力され、この試験信号が、加入者回路２１Ａにより主信号ＭＳ及び制御信号ＣＳに付加され、加入者線２５を介して加入者３０へ送信される。加入者３０内の網終端装置３１では、受信した制御信号ＣＳに基づき、送られてきた試験信号を折り返し、この折り返し試験信号を加入者線２５及び加入者回路２１Ａを介して加入者試験器２２Ａへ返信する。加入者試験器２２Ａでは、送信した試験信号と受信した折り返し試験信号とを比較照合して、加入者線２５による試験信号の劣化度を測定し、この測定結果をハイウェイ１５を介して交換機１０Ａへ返信する。これにより、加入者線２５の試験が終了する。
【発明の開示】
【発明が解決しようとする課題】
【００１２】
しかしながら、従来の加入者試験システムでは、通信プロトコルの異なる通信媒体（例えば、２２Ａ１）を保有する遠隔加入者収容装置２０Ａと、通信媒体（例えば、１１Ｂ）を保有する交換機１０Ｂとの加入者試験インタフェースをとろうとした場合、通信媒体２２Ａ１と通信媒体１１Ｂとの通信方式Ａ，Ｂが異なるため、通信制御のための接続が不可能である。同様に、通信媒体２２Ｂ１を保有す遠隔加入者収容装置２０Ｂと、通信媒体１１Ａを保有する交換機１０Ａとの加入者試験インタフェースをとる場合も、接続が不可能である。
【００１３】
そのため、異なる通信方式Ａ，Ｂの接続を可能とするための対策として、交換機１０Ａ，１０Ｂ若しくは遠隔加入者収容装置２０Ａ，２０Ｂの通信方式Ａ，Ｂを変更せざるを得ないという課題があった。又、接続形態により通信媒体２２Ａ１から通信媒体１１Ｂ、或いは、通信媒体２２Ｂ１から通信媒体１１Ａと通信方式Ａ，Ｂが相違するため、接続形態によりその都度どちらかの交換機１０Ａ又は１０Ｂ側の通信方式Ａ，Ｂを変更する必要があり、不利不便であった。
【課題を解決するための手段】
【００１４】
本発明の遠隔加入者試験通信変換装置は、交換機、加入者、及び遠隔加入者収容装置を備えた加入者試験システムにおいて、交換機と遠隔加入者収容装置との間のハイウェイに接続されている。
【００１５】
前記加入者試験システムにおいて、前記交換機は、異なる通信プロトコルの第１及び第２の通信媒体の内の第１の通信媒体を有し、前記第１の通信媒体から多重伝送用の前記ハイウェイへ試験指示情報を出力するものである。前記加入者は、加入者線に接続された網終端装置、及び前記網終端装置に接続された端末装置を有している。前記遠隔加入者収容装置は、前記ハイウェイを介して前記交換機に接続されると共に、前記加入者線を介して前記網終端装置に接続され、前記ハイウェイから送られてくる前記試験指示情報を受信する前記第２の通信媒体と、前記第２の通信媒体で受信した前記試験指示情報に基づき、前記加入者線に対する試験信号の劣化度を試験する加入者試験器と、を有している。
【００１６】
そして、本発明の遠隔加入者試験通信変換装置では、通信方式に応じた複数の通信プロトコルの通信媒体を設け、通信方式を交換機の試験器種別データ（ソフト、ハード）に頼らず自動変換して異種通信方式の遠隔加入者収容装置を擬似的に単一通信方式に見せかけることにより、収容の柔軟性の向上を図っている。
【００１７】
即ち、請求項１に係る発明の遠隔加入者試験通信変換装置では、交換機と遠隔加入者収容装置とを接続するハイウェイ間に設けられた複数の通信プロトコルの第３の通信媒体と、前記交換機から前記ハイウェイを介して送られて来た試験指示情報を引き込み、前記複数の通信プロトコルから通信が確立した１つの通信プロトコルを自動選択する選択手段と、前記複数の第３の通信媒体の送信部から前記ハイウェイを介して遠隔加入者収容装置内の第２の通信媒体へ各々前記試験指示情報を送出し、正常応答した前記第３の試験媒体で自立動作を開始する自立動作開始手段と、を有している。
【００１８】
これにより、遠隔加入者収容装置に搭載されている加入者試験器に対して、加入者試験器と加入者試験を指示する交換機との間の通信方式に関わらず、自動で識別し、通信方式を変換することが可能になる。
【００１９】
請求項２に係る発明の遠隔加入者試験通信変換装置では、遠隔加入者収容装置を収容する第１のハイウェイインタフェース部と、交換機に接続される第２のハイウェイインタフェース部と、前記第１のハイウェイインタフェース部と前記第２のハイウェイインタフェース部との間に接続され、前記第２のハイウェインタフェース部の全てのタイムスロットをドロップし、複数の通信プロトコルをそれぞれ制御する複数の素子の各々にマルチ入力して、前記複数の通信プロトコルから通信が確立した１つの通信プロトコルを選択する選択手段と、前記複数の通信プロトコルの第３の通信媒体における送信部からハイウェイを介して前記遠隔加入者収容装置内の第２の通信媒体へ各々試験指示情報を送出し、正常応答した前記第３の試験媒体で自立動作を開始する自立動作開始手段と、を有している。
【００２０】
請求項３に係る発明の遠隔加入者試験通信変換装置では、遠隔加入者収容装置を収容する第１のハイウェイインタフェース部と、交換機に接続され、全てのタイムスロットをドロップする第２のハイウェイインタフェース部と、前記第２のハイウェイインタフェース部でドロップされた前記全てのタイムスロットを、複数の通信プロトコルをそれぞれ制御する複数の素子の各々にマルチ入力して、前記複数の通信プロトコルから通信が確立した１つの通信プロトコルを選択する選択手段と、前記複数の通信プロトコルの第３の通信媒体における送信部からハイウェイを介して前記遠隔加入者収容装置内の第２の通信媒体へ各々試験指示情報を送出し、正常応答した前記第３の試験媒体で自立動作を開始する自立動作開始手段と、を有している。
【００２１】
これにより、交換機に接続される第２のハイウェイインタフェース部にて、全てのタイムスロットがドロップされて、複数の通信プロトコルをそれぞれ制御する複数の素子の各々にマルチ入力され、通信が確立した通信方式が自動的に選択される。
【００２２】
請求項４に係る発明の遠隔加入者試験通信変換装置では、交換機と遠隔加入者収容装置とを接続するハイウェイ間に設けられた複数の通信プロトコルの第３の通信媒体と、前記交換機から前記ハイウェイを介して送られて来た試験指示情報を引き込み、前記複数の通信プロトコルから通信が確立した１つの通信プロトコルを自動選択する選択手段と、前記複数の第３の通信媒体の送信部から、セレクタにて切り替えて前記ハイウェイを介して前記遠隔加入者収容装置内の第２の通信媒体へ各々前記試験指示情報を送出し、正常応答した前記第３の試験媒体で自立動作を開始する自立動作開始手段と、を有している。
【００２３】
これにより、遠隔加入者収容装置との通信方式識別を行うにあたり、複数の通信媒体のそれぞれで通信を試み、ＡＣＫ（アンサ）が返送されてきた通信方式が自動的に選択される。
【発明の効果】
【００２４】
本発明によれば、通信方式に応じた複数の通信プロトコルの通信媒体を設け、通信方式を交換機の試験器種別データに頼らず自動変換して異種通信方式の遠隔加入者収容装置を擬似的に単一通信方式に見せかけることにより、収容の柔軟性の向上を図っているので、異なる通信方式の交換機に変更でき、これにより収容効率の向上や交換機の機種の統一による保守コストが削減できる。又、ある通信方式の遠隔加入者収容装置を、これとは異なる通信方式の遠隔加入者収容装置へ置換する場合には、更改費用の削減が図れる。更に、通信方式の自動選択により、保守作業でのヒューマンエラーが防げると云う効果もある。
【発明を実施するための最良の形態】
【００２５】
本発明の実施形態の遠隔加入者試験通信変換装置は、交換機、加入者、及び遠隔加入者収容装置を備えた加入者試験システムにおいて、交換機と遠隔加入者収容装置との間のハイウェイに接続されている。この遠隔加入者試験通信変換装置では、交換機と遠隔加入者収容装置とを接続するハイウェイ間に設けられた複数の通信プロトコルの第３の通信媒体と、選択手段と、自立動作開始手段とを有している。選択手段では、交換機からハイウェイを介して送られて来た試験指示情報を引き込み、複数の通信プロトコルから通信が確立した１つの通信プロトコルを自動選択する。更に、自立動作開始手段では、複数の第３の通信媒体の送信部からハイウェイを介して遠隔加入者収容装置内の第２の通信媒体へ各々試験指示情報を送出し、正常応答した第３の試験媒体で自立動作を開始する。
【実施例１】
【００２６】
（図１の加入者試験システム）
図１は、本発明の実施例１を示すＩＳＤＮにおける加入者試験システムを示す概略の構成図である。
【００２７】
この加入者試験システムは、従来と同様に、例えば、通信方式Ｂの交換機４０Ｂと、この交換機４０Ｂにハイウェイ４５を介して接続された通信方式Ａの遠隔加入者収容装置５０Ａと、この遠隔加入者収容装置５０Ａに加入者線５５を介して接続された加入者６０とを備え、その交換機４０Ｂと遠隔加入者収容装置５０Ａとの間に、本実施例１の特徴である遠隔加入者試験通信変換装置７０が接続されている。
【００２８】
交換機４０Ｂ、遠隔加入者収容装置５０Ａ、及び遠隔加入者試験通信変換装置７０を接続するハイウェイ４５は、例えば１．５Mbit/sの多重伝送用の双方向伝送路であり、音声等の主信号ＭＳ、通信機器を制御する制御信号ＣＳ、試験指示ＴＤ１のタイムスロットにより形成される。遠隔加入者収容装置５０Ａと加入者６０とを接続する加入者線５５は、例えば６４Kbit/sの双方向伝送路である。
【００２９】
交換機４０Ｂ内には、主信号ＭＳ、制御信号ＣＳ、及び試験指示ＴＤ１等を送受信するための通信方式Ｂの第１の通信媒体４１Ｂ等が設けられている。遠隔加入者収容装置５０Ａは、加入者６０からの信号を多重化する装置であり、この装置内には、通信方式Ａの加入者回路５１Ａ、及び加入者線５５の試験を行う加入者試験器５２Ａ等が設けられている。加入者試験器５２Ａは、通信方式Ａの第２の通信媒体５２Ａ１等を有している。加入者６０内には、加入者線５５に接続された網終端装置６１、及びこれに接続された電話機等の端末装置６２等が設けられている。
【００３０】
遠隔加入者試験通信変換装置７０は、交換機４０Ｂからハイウェイ４５を介して送られてくる主信号ＭＳ、制御信号ＣＳ、及び試験指示ＴＤ１を受信する送受信手段と、その試験指示ＴＤ１をドロップするドロップ手段と、複数の第３の通信媒体を有し、ドロップされた試験指示ＴＤ１を通信方式Ｂから通信方式Ａへ変換して試験指示ＴＤ２を出力する通信方式変換部７０Ｃと、試験指示ＴＤ２をハイウェイ４５にインサート（挿入）するインサート手段と、インサート結果を遠隔加入者収容装置５０Ａへ送信する送受信手段と、その他の制御・記憶手段等とを備えている。
【００３１】
このような構成の加入者試験システムでは、次のような動作が行われる。
加入者６０と図示しない他の加入者との間で音声等の主信号ＭＳの通信を行う場合には、交換機４０Ｂ、遠隔加入者試験通信変換装置７０、及び遠隔加入者収容装置５０Ａを介して、主信号ＭＳ及び制御信号ＣＳが送受信され、主信号ＭＳの通信が行われる。
【００３２】
交換機４０Ｂからの試験指示ＴＤ１に基づいて加入者線５５の試験を行う場合には、通信方式Ｂの通信媒体４１Ｂから試験指示ＴＤ１が出力され、この試験指示ＴＤ１がハイウェイ４５の任意のタイムスロットに挿入され、主信号ＭＳ及び制御信号ＣＳと共に遠隔加入者試験通信変換装置７０へ送信される。
【００３３】
遠隔加入者試験通信変換装置７０では、ハイウェイ４５から送られて来た主信号ＭＳ、制御信号ＣＳ、及び試験指示ＴＤ１が送受信手段で受信された後、ドロップ手段により試験指示ＴＤ１が抽出される。抽出された試験指示ＴＤ１は、通信方式変換部７０Ｃにより、通信方式Ｂから通信方式Ａへ変換されて試験指示ＴＤ２が出力される。この試験指示ＴＤ２は、インサート手段により、ハイウェイ４５の特定のタイムスロットに挿入され、送受信手段により、主信号ＭＳ及び制御信号ＣＳと共に遠隔加入者収容装置５０Ａへ送信される。
【００３４】
遠隔加入者収容装置５０Ａでは、送られてきた主信号ＭＳ、制御信号ＣＳ及び試験指示ＴＤ２を受信し、この中の試験指示ＴＤ２を、通信方式Ａの通信媒体５２Ａ１にてドロップし、加入者試験器５２Ａに与える。すると、加入者試験器５２Ａから試験信号が出力され、この試験信号が、加入者回路５１Ａにより主信号ＭＳ及び制御信号ＣＳに付加され、加入者線５５を介して加入者６０へ送信される。加入者６０内の網終端装置６１では、受信した制御信号ＣＳに基づき、送られてきた試験信号を折り返し、この折り返し試験信号を加入者線５５及び加入者回路５１Ａを介して加入者試験器５２Ａへ返信する。加入者試験器５２Ａでは、送信した試験信号と受信した折り返し試験信号とを比較照合して、加入者線５５による試験信号の劣化度を測定し、この測定結果をハイウェイ４５及び遠隔加入者試験通信変換装置７０を介して交換機４０Ｂへ返信する。これにより、加入者線５５の試験が終了する。
【００３５】
（図２の遠隔加入者試験通信変換装置）
図２は、図１中の遠隔加入者試験通信変換装置７０における通信変換動作を示す機能ブロック図である。
【００３６】
遠隔加入者試験通信変換装置７０は、送受信手段（例えば、交換機４０Ｂとのインタフェースであるハイウェイインタフェース部）７１Ｂと、ドロップ手段（例えば、ハイウェイ４５から試験指示ＴＤ１を抽出するドロッパ）７２と、通信方式変換部７０Ｃと、インサート手段（例えば、ハイウェイ４５に変換後の試験指示ＴＤ２を挿入するインサータ）７８と、送受信手段（例えば、遠隔加入者収容装置５０Ａとのインタフエースとなるハイウェイインタフェース部）７９Ａとを有している。
【００３７】
通信方式変換部７０Ｃは、複数の第３の通信媒体でそれぞれ構成された選択手段、及び自立動作開始手段を有している。選択手段は、例えば、ドロッパ７２で抽出された試験指示ＴＤ１を通信方式Ａの通信速度に変換する速度変換部７３Ａ、その試験指示ＴＤ１を通信方式Ｂの通信速度に変換する速度変換部７３Ｂ、速度変換された試験指示ＴＤ２を通信方式Ａで受信する受信部７４Ａ、及び、その試験指示ＴＤ２を通信方式Ｂで受信する受信部７４Ｂより構成されている。自立動作開始手段は、例えば、バス８２を介して送られてくる変換後の試験指示ＴＤ２を通信方式Ａで送信する送信部７５Ａ、その試験指示ＴＤ２を通信方式Ｂで送信する送信部７５Ｂ、変換後の試験指示ＴＤ２を通信方式Ａの通信速度から元の通信速度に変換する速度変換部７６Ａ、その試験指示ＴＤ２を通信方式Ｂの通信速度から元の通信速度に変換する速度変換部７６Ｂ、及び、変換後の通信方式Ａ，Ｂを選択するセレクタ７７より構成されている。更に、この通信方式変換部７０Ｃには、本装置及び各送受信の制御を行う中央処理装置（以下「ＣＰＵ」という。）８０とそのメモリ８１等が設けられ、これらがバス８２により相互に接続されている。
【００３８】
このような構成の遠隔加入者試験通信変換装置７０において、交換機４０Ｂの通信自動選択動作として、ハイウェイインタフェース部７１Ｂからの試験指示ＴＤ１をドロッパ７２にて全て引き込み、速度変換部７３Ａ及び７３Ｂにマルチ分配して速度変換し、この変換された試験指示ＴＤ２を受信部７４Ａ及び７４Ｂで受信する。そして、受信部７４Ａ及び７４Ｂにて、通信が確立した通信方向を選択する。
【００３９】
又、遠隔加入者収容装置５０Ａの通信自動選択動作として、送信部７５Ａ及び７５Ｂから試験指示ＴＤ２を出力し、これを速度変換部７６Ａ及び７６Ｂで速度変換した後、セレクタ７７により切り替え、インサータ７８にてハイウェイ４５に挿入し、ハイウェイインタフエース部７９Ａを通して遠隔加入者収容装置５０Ａ側へ通信を試み、この遠隔加入者収容装置５０ＡからＡＣＫ（アンサ）が返送されてきた通信方式Ａ又はＢを自動選択する。
【００４０】
このように、本実施例１では、各遠隔加入者収容装置５０Ａ，・・・に搭載されている加入者試験器５２Ａ，・・・の通信方式Ａ，Ｂに応じて、通信方式Ａ，Ｂを自動変換し、異種通信方式Ａ，Ｂの遠隔加入者収容装置５０Ａ，・・・を擬似的に単一通信方式に見せかけ収容可能とする。
【００４１】
（図１の適用例）
図３は、図１の遠隔加入者試験通信変換装置７０の適用例を示す加入者試験システムの概略の構成図である。
【００４２】
例えば、図３において、図４と同様に、通信方式Ａ及びＢの２つの加入者試験システムが設けられていると仮定する。通信方式Ａの加入者試験システムは、図示しない交換機４０Ａと、これにハイウェイ４５で接続された遠隔加入者収容装置５０Ａと、これに加入者線５５−１で接続された加入者６０−１とより構成されている。通信方式Ｂの加入者試験システムも、交換機４０Ｂと、これにハイウェイ４５で接続された遠隔加入者収容装置５０Ｂと、これに加入者線５５−２で接続された加入者６０−２とより構成されている。通信方式Ｂの遠隔加入者収容装置５０Ｂは、通信方式Ａの遠隔加入者収容装置５０Ａと同様に、加入者回路５１Ｂ、通信媒体５２Ｂ１、及び加入者試験器５２Ｂ等で構成されている。
【００４３】
ここで、図示しない通信方式Ａの交換機４０Ａの収容加入者数が減少等してこの交換機４０Ａを除去する場合、加入者６０−１を収容する通信方式Ａの遠隔加入者収容装置５０Ａを、遠隔加入者試験通信変換装置７０を介して、通信方式Ｂの交換機４０Ｂに接続する。これにより、交換機４０Ｂから出力された通信方式Ｂの試験指示ＴＤ１が、遠隔加入者試験通信変換装置７０により通信方式Ａの試験指示ＴＤ２に変換されて、遠隔加入者収容装置５０Ａへ送信されるので、これに接続された加入者線５５−１の試験が可能になる。一方、通信方式Ｂの遠隔加入者収容装置５０は、交換機４０Ｂと同一の通信方式Ｂであるので、この交換機４０Ｂから直接送られてくる試験指示ＴＤ１に基づき、収容している加入者線５５−２の試験を行うことができる。
【００４４】
このように、本実施例１の遠隔加入者試験通信変換装置７０を使用すれば、交換機４０Ｂの空回線への収容変更等が可能となり、収容効率の向上や交換機４０Ａ，４０Ｂの機種の統一による保守コストが削減できる。又、遠隔加入者収容装置５０Ａを遠隔加入者収容装置５０Ｂへ置換する場合、更改費用の削減が図れる。その上、通信方式Ａ，Ｂの自動選択により、保守作業でのヒューマンエラーを防止できる。
【実施例２】
【００４５】
本発明は、上記実施例１に限定されず、種々の変形が可能である。この変形例である実施例２としては、例えば、次の（ａ）、（ｂ）のようなものがある。
【００４６】
（ａ）  実施例１では、遠隔加入者試験通信変換装置７０として、２種類の通信方式ＡとＢの変換構成について説明したが、３種類以上の通信方式に変換する構成にしても良い。この際、通信方式の数に応じて通信方式変換部７０Ｃの構成を変更すれば良い。
【００４７】
（ｂ）  実施例１の遠隔加入者試験通信変換装置７０では、通信指示ＴＤ１の変換構成について説明したが、この遠隔加入者試験通信変換装置７０にフレームフォーマット変換回路等を設け、通信方式に応じて主信号ＭＣ及び制御信号ＣＳも変換する構成にすることも可能である。
【図面の簡単な説明】
【００４８】
【図１】本発明の実施例１を示す加入者試験システムを示す概略の構成図である。
【図２】図１中の遠隔加入者試験通信変換装置における通信変換動作を示す機能ブロック図である。
【図３】図１の遠隔加入者試験通信変換装置の適用例を示す加入者試験システムの概略の構成図である。
【図４】従来の加入者試験システムを示す概略の構成図である。
【符号の説明】
【００４９】
４０Ｂ      交換機
４１Ｂ，５２Ａ１，５２Ｂ１      通信媒体
４５      ハイウェイ
５０Ａ，５０Ｂ      遠隔加入者収容装置
５１Ａ，５１Ｂ      加入者回路
５２Ａ，５２Ｂ      加入者試験器
５５，５５−１，５５−２      加入者線
６０，６０−１，６０−２      加入者
６１      網終端装置
６２      端末装置
７０      遠隔加入者試験通信変換装置
７０Ｃ      通信方式変換部
７１Ｂ，７９Ａ      ハイウェイインタフェース部
７２      ドロッパ
７３Ａ，７３Ｂ，７６Ａ，７６Ｂ      速度変換部
７４Ａ，７４Ｂ      受信部
７５Ａ，７５Ｂ      送信部
７７      セレクタ
７８      インサータ
ＴＤ１，ＴＤ２      試験指示
【図１】
2006270724.tif 000003
【図２】
2006270724.tif 000004
【図３】
2006270724.tif 000005
【図４】
2006270724.tif 000006